(57)【特許請求の範囲】
【請求項１】
浴槽と、入浴者が着座するための着座部と、前記着座部を前記浴槽内へ移動させるための移動機構と、を備え、
前記着座部は、前記浴槽の長手方向の一端部上に配置され、
入浴者が前記着座部を使って入浴する際は、前記着座部は、入浴者が着座した状態で前記
移動機構によって前記浴槽内へ移動され、
入浴者が前記着座部を使うことなく入浴する際は、前記着座部は、前記浴槽の長手方向の
一端部上で待機しており、
さらに、前記着座部は、入浴者が座るためのシート部と、前記シート部に座っている入浴者の下腿を受けるための下腿受け部と、を含み、
前記下腿受け部は、前記シート部または前記移動機構に対して回動可能に連結され、
前記着座部が、前記シート部に入浴者が座った状態で、前記浴槽内に移動する際、入浴者
は、前記シート部と共に前記下腿受け部によって下腿を受けられながら前記浴槽内へ移動
される、ことを特徴とする入浴装置。
【請求項２】
前記浴槽の長手方向の一端部において、その上端面は、前記シート部を、前記浴槽の内壁面より外側の位置で水平姿勢の状態を保って配置できる広さを有する、ことを特徴とする請求項１に記載の入浴装置。
【請求項３】
前記着座部が、前記浴槽の底面へ下降したとき、前記シート部と前記下腿受け部とにより形成される形状が、前記浴槽の長手方向において仮名文字の「へ」の字形状になる、ことを特徴とする請求項１または２に記載の入浴装置。
【請求項４】
前記シート部は、前記浴槽の短手方向にスライド可能に設けられており、入浴者は、前記シート部を自身に近づけるようにスライドさせ、前記スライドした前記シート部に着座することが可能になっている、ことを特徴とする請求項１ないし３のうちのいずれか一項に記載の入浴装置。
【請求項５】
前記シート部は、前記浴槽の短手方向にスライド可能、かつ、前記浴槽に対して回転可能に設けられ、入浴者は、前記シート部をスライドさせて自身に近づけ、回転させて前記シート部に着座することが可能になっている、ことを特徴とする１ないし３のうちのいずれか一項に記載の入浴装置。
【請求項６】
前記浴槽は、その短手方向の他端側に第一手摺部を有している、ことを特徴とする請求項１ないし５のいずれか一項に記載の入浴装置。
【請求項７】
前記着座部は、前記シート部の一端側または両端側に第二手摺部を有している、ことを特徴とする請求項１ないし６のうちのいずれか一項に記載の入浴装置。
【請求項８】
前記移動機構の動きを指示するための指示部を有する、ことを特徴とする請求項１ないし６のうちのいずれか一項に記載の入浴装置。
【請求項９】
前記下腿受け部は、前記浴槽の底面側の一端に前記着座部に着座している入浴者の足を載せるための足載せ部を有する、ことを特徴とする請求項１ないし８のうちのいずれか一項に記載の入浴装置。
【請求項１０】
前記着座部は、入浴者が凭れ掛るための背凭れ部を有する、ことを特徴とする請求項１ないし９のうちのいずれか一項に記載の入浴装置。
【請求項１１】
前記着座部が、前記浴槽の長手方向の一端部上で待機しているときは、前記移動機構は、前記着座部によって覆われている、ことを特徴とする請求項１ないし１０のうちのいずれか一項に記載の入浴装置。
【請求項１２】
前記浴槽の長手方向の一端部は、前記浴槽の短手方向の途中の一部に前記移動機構を収納できる凹部を有し、前記着座部が、前記浴槽の長手方向の一端部上で待機しているときは、前記凹部の上方は、前記着座部の前記シート部によって覆われ、かつ、前記凹部における前記浴槽の内側は、前記着座部の前記下腿受け部によって覆われて、前記移動機構は外部から隠される、ことを特徴とする請求項１１に記載の入浴装置。
【請求項１３】
前記着座部と前記浴槽との間に形成されている隙間、または、前記浴槽に搬送車が横付けされた際、前記着座部と前記搬送車との間に形成されている隙間を無くすための補助部材を有する、ことを特徴とする請求項１ないし１２のうちのいずれか一項に記載の入浴装置。
【発明の詳細な説明】
【技術分野】
【０００１】
本発明は、介護老人や、病人、その他の入浴者（以下、「入浴者」という）の入浴に用いることができる入浴装置に係り、より詳しくは、入浴者が、着座部を使用して入浴すること、また、着座部を使用することなく、入浴することができる入浴装置に関するものである。
【背景技術】
【０００２】
下記特許文献１には、平面視矩形形状の浴槽と、この浴槽に設けた座部(着座部)と、この着座部を昇降させる駆動機構部と、を備えた入浴装置が開示されている。
【０００３】
この入浴装置において、着座部は、浴槽の内壁に沿う状態で、その全体が浴槽内側の上端に配置されている。駆動機構部は、前記内壁よりも外側に設けられ、着座部をその内壁に沿って浴槽内で昇降させる。
【０００４】
入浴者は、浴槽の内壁に沿って、その上端で待機している着座部に座った後、駆動機構部によって浴槽の底面へ移動されることにより入浴する。
【先行技術文献】
【特許文献】
【０００５】
【特許文献１】特開２００６−２０４４５１号公報
【発明の概要】
【発明が解決しようとする課題】
【０００６】
しかしながら、上記の入浴装置においては、入浴者が着座部を使用しないで直接入浴する場合、着座部は浴槽の内側の上端で待機している状態となっている。この待機状態では、着座部は、浴槽のほぼ中央に近い内側に張り出しているため、着座部は、入浴者が直接入浴する際には、その入浴の邪魔になる。このため、入浴者は、直接入浴する都度、着座部を浴槽の底面まで移動させざるを得ず、直接入浴に相当な手間がかかり、使い勝手が良くなかった。
【０００７】
本発明は、上記課題に鑑みてなされたものであり、入浴者が着座部を使って入浴することができる一方で、着座部を使うことなく直接入浴する際は、着座部が邪魔にならず、また、着座部を浴槽底面に下降させる手間が不要で、使い勝手が良い入浴装置を提供することを目的とする。
【課題を解決するための手段】
【０００８】
(１)上述の課題を解決するため、本発明に係る入浴装置は、
浴槽と、入浴者が着座するための着座部と、前記着座部を前記浴槽内へ移動させるための移動機構と、を備え、
前記着座部は、前記浴槽の長手方向の一端部上に配置され、
入浴者が前記着座部を使って入浴する際は、前記着座部は、入浴者が着座した状態で前記
移動機構によって前記浴槽内へ移動され、
入浴者が前記着座部を使うことなく入浴する際は、前記着座部は、前記浴槽の長手方向の
一端部上で待機しており、
さらに、前記着座部は、入浴者が座るためのシート部と、前記シート部に座っている入浴者の下腿を受けるための下腿受け部と、を含み、
前記下腿受け部は、前記シート部または前記移動機構に対して回動可能に連結され、
前記着座部が、前記シート部に入浴者が座った状態で、前記浴槽内に移動する際、入浴者
は、前記シート部と共に前記下腿受け部によって下腿を受けられながら前記浴槽内へ移動
される、ことを特徴とする。
【０００９】
この構成によれば、着座部は、浴槽の内壁より外側となる浴槽の長手方向の一端部上に配置されているので、入浴者が着座部を使うことなく入浴するとき、着座部は、その入浴の邪魔にならない。そのため、入浴者は、着座部を浴槽の底面に移動させず、浴槽の長手方向の一端部上でそのまま待機させておくことができる。このように、この構成によれば、入浴者は、入浴に際して、着座部を浴槽底面に下降させる手間がかからず、使い勝手が良い。
【００１０】
特に、この構成によれば、入浴者が、着座部に座って入浴する場合、着座部が浴槽の長手方向の一端部上で待機しているので、着座部に座って、移動機構により着座部を浴槽内に下降させて入浴することができる。また、着座部を使用しない入浴者は、入浴するに際して、浴槽の長手方向の一端部上で待機している着座部を腰掛けとして使うことができて便利である。
【００１１】
このように、本発明の入浴装置は、入浴者が着座部に座って入浴するときも、また、入浴者が着座部を使うことなく直接入浴するときも、そのいずれにも、使い勝手が良い入浴装置である。
【００１３】
さらに、この構成によれば、入浴者がシート部に着座し、下腿受け部で下腿を受けられた状態で、着座部が浴槽内下方に下降すると、その下降と共に、入浴者の下腿は下腿受け部によって自動的に押し上げられる。これにより、入浴者が入浴する際、入浴者の足は、浴槽の底面との間で、距離が保たれる。そのため、入浴者の足が、シート部と浴槽の底面との間で挟まれることを防止することができ、これにより入浴者は、安全に入浴することができる。
【００１４】
移動機構は、特に限定されないが、その一例として、例えば、平行リンク機構がある。この平行リンク機構によれば、シート部を、水平姿勢を保った状態で平行に昇降移動させることができて好ましい。また、着座部が浴槽の長手方向の一端部上で待機しているとき、待機しているのは、着座部の本体でもあるシート部となる。また、シート部の一部が、浴槽の内側にあっても、直接入浴する入浴者の入浴動作の邪魔にならない限り、本発明に含むことができる。
【００１５】
(２)好ましくは、前記浴槽の長手方向の一端部において、その上端面は、前記シート部を前記浴槽の内壁面より外側の位置で、水平姿勢の状態を保って配置できる広さを有する。
【００１６】
この構成によれば、着座部が浴槽の長手方向の一端部上で待機しているときは、着座部のシート部は、浴槽の長手方向の一端部の上端面に水平姿勢の状態で安定して待機することができる。そのため、入浴者は、着座部に、ぐらついたり傾いたりすることなく、安定して座ることができる。また、シート部が内壁面より外側に配置されるので、着座部を使うことなく、入浴するときの邪魔にならない。
【００１７】
(３)好ましくは、前記着座部が前記浴槽の底面へ下降したとき、前記シート部と前記下腿受け部とにより形成される形状が、浴槽長手方向において仮名文字の「へ」の字形状になる。
【００１８】
この構成によれば、着座部が浴槽の底面へ下降した状態では、シート部は斜め上方へ傾斜し、下腿受け部は、斜め下方へ傾斜した状態となる。そのため、入浴者はシート部上を下腿受け部方向へずれて滑っていくことが防止され、シート部に安定して着座することができる。これによって、入浴者は、浴槽内へ水没し難くなり、入浴者は、より安全に入浴することができる。
【００１９】
(４)好ましくは、前記シート部は、前記浴槽の短手方向にスライド可能に設けられており、入浴者は、前記シート部を自身に近づけるようにスライドさせ、前記スライドした前記シート部に着座することが可能になっている。
【００２０】
この構成によれば、入浴者がシート部に座る際、シート部を自身の方向へ近づけるようにスライドさせ、このスライドによって自身に近づいたシート部に着座すると、シート部を浴槽へスライドさせことができる。そのため、入浴者は、シート部に座り易くなる。
【００２１】
(５)好ましくは、前記シート部は、前記浴槽の短手方向にスライド可能、かつ、前記浴槽に対して回転可能に設けられ、入浴者は、前記シート部をスライドさせて自身に近づけ、回転させて前記シード部に着座することが可能になっている。
【００２２】
この構成によれば、入浴者がシート部に座る際、シート部を自身の方向へ近づけることでき、かつシート部を自身の方向へ回転させることができる。そのため、入浴者をシート部に座り易くすることができる。
【００２３】
(６)好ましくは、前記浴槽は、その短手方向の他端側に第一手摺部を有している。
【００２４】
この構成によれば、入浴者は、浴槽の短手方向の一端側へスライドされたシート部に座り、第一手摺部を掴んで手元側へ引くことによって、シート部を浴槽の短手方向の他端側へスライドさせることができる。そのため、入浴者は、シート部に着座して、浴槽の短手方向の一端側から他端側へ移動し易い。
【００２５】
(７)好ましくは、前記着座部は、そのシート部の一端側または両端側に第二手摺部を有する。
【００２６】
この構成によれば、入浴者は第二手摺部を掴んで着座部に安全に着座することができる。また、第二手摺部がシート部の一端側または両端側に設けられているので、入浴者は、シート部への着座や、シート部の浴槽内への下降に際しては、第二手摺部によって、姿勢を維持できるように保護され、安全に入浴することができる。
【００２７】
(８)好ましくは、前記移動機構の動きを指示するための指示部を有する。
【００２８】
この構成によれば、入浴者は指示部によって移動機構の動きを指示することができるので、より簡易に入浴することができる。
【００２９】
(９)好ましくは、前記下腿受け部は、前記浴槽の底面側の一端に前記着座部に着座している入浴者の足を載せるための足載せ部を有する。
【００３０】
この構成によれば、足載せ部によって、入浴者がシート部に着座し、足載せ部に足を載せた状態で、着座部が浴槽内下方に下降すると、その下降と共に、入浴者の足を足載せ部によって自動的に前方へ押しやることができる。
【００３１】
(１０)好ましくは、前記着座部は、入浴者が凭れ掛るための背凭れ部を有する。
【００３２】
この構成によれば、入浴者が背凭れ部に凭れ掛ることができるので、着座部に安定して着座することができる。そのため、入浴者がバランスを崩して着座部から転落することを防止することができ、これにより安全に入浴することができる。
【００３３】
(１１)好ましくは、前記着座部が前記浴槽の長手方向の一端部上で待機しているときは、前記移動機構は、前記着座部によって覆われている。
【００３４】
この構成によれば、着座部が、上記待機の状態にあるとき、移動機構を外観上見えなくすることができる。そのため、入浴者は、一般家庭で使われる浴槽に近い雰囲気で入浴することができる。
【００３５】
(１２)好ましくは、前記浴槽の長手方向の一端部は、前記浴槽の短手方向の途中の一部に前記移動機構を収納できる凹部を有し、前記着座部が、前記浴槽の長手方向の一端部上で待機しているときは、前記凹部の上方は、前記着座部の前記シート部によって覆われ、かつ、前記凹部における前記浴槽の内側は、前記着座部の前記下腿受け部によって覆われて、前記移動機構は外部から隠される。
【００３６】
この構成によれば、着座部が前記待機している状態では、移動機構は、凹部内に収納された状態であり、しかも、その凹部の上方と浴槽内側は、シート部と下腿受け部とによって覆われるので、浴槽に直接入浴する入浴者にとっては、凹部の存在、およびその凹部内における移動機構の存在にも気づきにくく、しかも、入浴する際も、入浴中も凹部およびその内部の移動機構が、なんら、見えない。そのため、入浴者は、一般家庭で用いられる浴槽の雰囲気で入浴することができる。
【００３７】
(１３)好ましくは、前記着座部と前記浴槽との間に形成された隙間、または、前記浴槽に横付けされた搬送車から、前記着座部に移動する際に前記着座部と搬送車との間に形成される隙間を無くすための補助部材を有する。
【００３８】
この構成によれば、補助部材によって着座部と浴槽との間の隙間、または、着座部と搬送車との間の隙間がなくなる。そのため、入浴者は、スムーズに着座部上へ移動することができ、また、指や腕等の身体の一部を隙間に挟み込むリスクを低減することができる。
【発明の効果】
【００３９】
本発明によれば、入浴者は、浴槽の長手方向の一端部上で待機している着座部に座った後、着座部を浴槽内に下降させて入浴することができる。
【００４０】
また、本発明によれば、入浴者は、浴槽の長手方向の一端部で待機している着座部を使うことなく、入浴するときには、着座部に邪魔されずに入浴することができ、また、入浴するたびごとに、着座部を浴槽底面へ下降させるという手間もない。
【００４１】
以上により、本発明によれば、着座部が浴槽の長手方向の一端部で待機しているので、着座部に座って入浴するときも、着座部を使わないで入浴するときのいずれにおいても、使い勝手が良い入浴装置を提供することができる。
【図面の簡単な説明】
【００４２】
【図１】本発明の実施形態に係る入浴装置の平面図である。
【図２】図１の入浴装置の縦断面図である。
【図３】着座部が浴槽の底面に移動されて、着座部のシート部と下腿受け部とが一直線状となった状態を示す入浴装置の縦断面図である。
【図４】着座部が浴槽の底面に移動されてシート部と下腿受け部とが屈曲した状態を示す入浴装置の縦断面図である。
【図５】被介護者の足を載せるための足載せ部を備えた入浴装置の縦断面図である。
【図６】本発明の第一変形例において、載置部がスライドした状態の入浴装置の平面図である。
【図７】第一変形例において、シート部と載置部とを下面から見た斜視図である。
【図８】本発明の第二変形例に係る入浴装置の平面図である。
【図９】第二変形例において、載置部のスライドと、シート部の回転の説明に供する図である。
【図１０】第二変形例において、シート部が回転した状態の入浴装置の部分斜視図である。
【図１１】第二変形例において、回転ストッパピンを示す縦断面図である。
【図１２】本発明の第三変形例に係る入浴装置の平面図である。
【発明を実施するための形態】
【００４３】
以下、添付した図面を参照して、本発明の一実施形態に係る入浴装置を、詳細に、説明する。各図中、同一ないし対応する部分には、同一の符号を付している。
【００４４】
図１および図２に示すように、入浴装置１は、平面視の外形が矩形形状である浴槽２と、入浴者が着座するための着座部３と、この着座部３を、浴槽２内に移動させるための移動機構４と、を備える。
【００４５】
着座部３は、シート部３０と、下腿受け部３１とを有する。シート部３０は、その平面視の外形が矩形形状であり、入浴者が着座できるシート構造となっている。図１では、着座部３は、図解のため、仮想線で示している。また、図１では、後述の移動機構４は、図示していない。下腿受け部３１は、シート部３０に座っている入浴者の下腿を受けるため、シート部３０の前方下方へ延びている。シート部３０は、その後方に、シート部３０に着座している入浴者が凭れることができる背凭れ部３０ａを有する。背凭れ部３０ａは、必ずしも、必須ではない。
【００４６】
移動機構４は、着座部３のシート部３０が載置される載置部４０と、平行リンク機構を構成する２組のアーム部４１，４２と、を有する。載置部４０は、平面視の外形が矩形形状であり、アーム部４１，４２で水平に支持される。アーム部４１，４２は、それぞれ、浴槽２の短手方向で対向する一対のアームで構成される。アーム部４１，４２は、載置部４０の浴槽２の長手方向において所定間隔を隔てられている。両アーム部４１，４２のうち、一方の組のアーム部４２は、アーム部駆動機構(図示せず)によって回動駆動される。この回動によって、載置部４０は、水平姿勢を保持した状態で円弧状に昇降される。アーム部４１，４２は、前記したように、それぞれ、浴槽２の短手方向に一対のアームで構成されるが、図２は、浴槽２の短手方向中央における縦断面図であるので、浴槽２の短手方向他端側のアームのみが図示されている。
【００４７】
載置部４０は、浴槽２の長手方向の一端部２ａ上に配置されている。浴槽２の長手方向の一端部において、その上端面は、載置部４０を浴槽２の内壁面より略外側の位置で水平姿勢の状態を保って待機させることができる広さを有している。着座部３のシート部３０は、載置部４０を介して、浴槽２の長手方向の一端部２ａの上端面上に配置されている。そのため、入浴者は、シート部３０上に安定した水平姿勢の状態を保って着座することができる。また、着座部３のシート部３０が、浴槽２の長手方向の一端部上で待機している状態では、シート部３０は、浴槽２の内側に張り出していない。そのため、入浴者が、着座部３を使用しないで、直接入浴する際には、シート部３０は、その入浴の邪魔にならない。これにより、入浴者は、直接入浴する際においては、着座部３を浴槽２の底面まで移動させる必要はなくなるので、使い勝手が良くなる。
【００４８】
浴槽２の長手方向一端部２ａは、その浴槽２の短手方向の略中央部に、アーム部４１，４２を収納するための凹部２０を有する。凹部２０は、浴槽２の両側壁２ｂでその両側が囲まれ、アーム部４１，４２を収納した状態で、その作動を許容するように、浴槽２の短手方向に所定の幅を有し、かつ、浴槽２の底面２１から上面２２に亘って形成されている。なお、図１では、浴槽２の長手方向一端部２ａにおいて、凹部２０の両側の部分を符号１ａ１，１ａ２で示す。載置部４０は、この浴槽２の長手方向一端部２ａの両側の部分１ａ１，１ａ２上にわたって配置される。
【００４９】
着座部３が、図１および図２に示すように、浴槽２の長手方向一端部２ａ上で待機している状態では、凹部２０の上方は、着座部３のシート部３０によって覆われ、かつ、凹部２０における浴槽２内側は、着座部３の下腿受け部３１によって覆われる。
【００５０】
着座部３が、浴槽２の長手方向の一端部２ａ上で待機しているときは、シート部３０の座面３２と浴槽２の上面２２との間には段差が有る。高さ調整部材５は、着座部３が待機しているときの前記段差を調整するため、シート部３０の短手方向の両側それぞれの上面２２に設けられている。シート部３０の短手方向両側の上面２２の高さが、シート部３０の座面３２の高さと等しいときは、高さ調整部材５を設ける必要は必ずしもない。
【００５１】
着座部３の下腿受け部３１は、入浴者の下腿を受けることができる形状を有している。下腿受け部３１における浴槽２の上面２２側の一端部は、シート部３０の先端部に対して連結ピン３１ａによって回動自在に軸支されている。これによって、下腿受け部３１は、シート部３０に対して前記軸支点を中心に回動可能になっている。
【００５２】
載置部４０は、浴槽２の一端部２ａの上面に配置され、この載置部４０の上面に、シート部３０が配置される。シート部３０は、載置部４０の上面に水平な状態を保持して配置される。
【００５３】
移動機構４のアーム部４１を構成する一対のアームそれぞれの一端側は、載置部４０に対して連結ピン４１ａで回転自在に軸支されている。アーム部４１の前記一対のアームそれぞれの他端側は、浴槽２の凹部２０下方で、連結ピン４１ｂで、回転自在に軸支されている。
【００５４】
移動機構４のアーム部４２を構成する一対のアームそれぞれの一端側は、載置部４０に対して連結ピン４２ａで回転自在に軸支されている。アーム部４２前記一対のアームそれぞれの他端側は、浴槽２の凹部２０下方で、連結ピン４２ｂで、回転自在に軸支されている。
【００５５】
アーム部４２を構成する一対のアームそれぞれの他端側の連結ピン４２ｂは、モータ内蔵のアーム部駆動機構(図示せず)に連結されている。アーム部駆動機構は、凹部２０の両側の浴槽２外に収納されている。アーム部駆動機構は、リモコン等の指示部の操作に応答してアーム部４２を、前記連結ピン４２ｂを回転中心にして反時計回り方向および時計回り方向に回転駆動させることができる。なお、アーム部４２の前記一対のアームのうち、一方のアームが、アーム部駆動機構によって駆動されるようにしてもよい。
【００５６】
図２および３を参照して、着座部３の動作を説明する。
【００５７】
入浴者が着座部３を使って入浴する際には、入浴者が、着座部３のシート部３０に着座し、その後、着座部３は、移動機構４によって浴槽２内へ下降される。
【００５８】
具体的には、まず、入浴者は、浴槽２の一端部２ａ上に待機している着座部３のシート部３０に座る。次いで、入浴者は、移動機構４を遠隔操作するリモコン（図示せず）を操作する。これにより、アーム部駆動機構が作動する。
【００５９】
アーム部駆動機構が作動すると、アーム部４２は連結ピン４２ｂを中心にして反時計回り方向に回動し始める。そうすると、着座部３のシート部３０は、アーム部４１，４２によって、水平姿勢を保ったまま、浴槽２の長手方向他端部側へ、かつ、浴槽２の底面２１側へ円弧状に下降する。この下降に伴い、着座部３の下腿受け部３１の他端が、浴槽２の底面２１と接触し、下腿受け部３１は、連結ピン３１ａを中心として時計回り方向に回転する。これにより、入浴者は、浴槽２内へ案内されながら、下腿受け部３１によって自身の足を押し上げられる。
【００６０】
移動機構４の一対のアーム部４２が、連結ピン４２ｂを中心としてさらに反時計回り方向に回転駆動されて、載置部４０が浴槽２の底面２１に達すると、着座部３のシート部３０と下腿受け部３１は、ほぼ同一直線上に位置する。これにより、入浴者は、足を伸ばして着座部３のシート部３０に座った状態で、浴槽２の底面２１まで案内される。
【００６１】
この場合、図４に示すように、アーム部４１の先端部分４１ｃを、シート部３０の方向に突出させてもよい。このようにアーム部４１の先端部分４１ｃを突出させると、着座部３が、アーム部４１，４２によって浴槽２の底面２１へ移動されると、シート部３０の先端側がアーム部４１の先端部分４１ｃによって、上方に持ち上げられる。その結果、シート部３０と下腿受け部３１とが、浴槽２の底面２１に対して、連結ピン３１ａの箇所から「へ」の字形状に上方に屈曲する。
【００６２】
シート部３０と下腿受け部３１とが、「へ」の字形状に屈曲すると、「へ」の字の長手方向の一半分はシート部３０により形成され、「へ」の字の長手方向の他半分は下腿受け部３１により形成される。この状態では、シート部３０は入浴者の着座位置から下腿まで前方斜め上方へ傾斜し、下腿受け部３１は、入浴者の下腿から前方斜め下方へ傾斜した状態となる。そのため、入浴者は浮力を受けてもシート部３０上を前方へずり下がって滑っていくことが防止され、浴槽２内でシート部３０に安定して着座することができる。これによって、入浴者は、浴槽２内へ水没し難くなるため、より安全に入浴することができる。
【００６３】
一方、入浴者が着座部３を使うことなく入浴する際には、着座部３のシート部３０は、浴槽２の長手方向の一端部上で待機している。そのため、入浴者は、着座部３のシート部３０を、入退浴に際しての腰掛にも利用することができる。
【００６４】
以上の入浴装置１によれば、着座部３は、上記のように浴槽２の長手方向の一端部上で待機できるよう配置されている。そのため、着座部３は、浴槽２の内側に張り出していないから、入浴者が直接入浴するときには、着座部３は、その直接入浴の邪魔にならず、着座部３を浴槽２の底面に移動させる必要がない。その結果、入浴者は、着座部３をそのままの状態で待機させておいて、直接入浴することができ、手間が掛からず、使い勝手が良い。
【００６５】
また、入浴者が着座部３のシート部３０に座って入浴する、いわゆる直接入浴する際は、シート部３０の下降と共に、入浴者の下腿は、下腿受け部３１によって自動的に押し上げられる。そのため、シート部３０が下降しても、入浴者の足と浴槽２の底面３２との間に距離が保たれる。
【００６６】
従って、入浴者の足がシート部３０と浴槽２の底面２１との間に挟まれることを防止することができ、これにより、入浴者は、直接入浴するとき、安全に入浴することができる。
【００６７】
さらに、浴槽２の上面２２とシート部３１の座面３２は、高さ調整部材５によって、同一の水平面上に合わせることができる。そのため、入浴者は、浴槽２外から高さ調整部材５を介してシート部３０へスムーズに移動して、シート部３０に着座することができる。
【００６８】
また、シート部３０に背凭れ部３０ａを設けているので、入浴者は、背凭れ部３０ａに凭れ掛ることができ、これによって、入浴者は、着座部３に安定して着座することができる。そのため、入浴者がバランスを崩して着座部３から転落することを防止することができ、これによって、入浴者は、より安全に入浴することができる。
【００６９】
さらに、着座部３が上記待機しているときは、着座部３のシート部３０と下腿受け部３１とによって移動機構４のアーム部４１，４２が覆われる。そのため、入浴者からは、アーム部４１，４２といった機械的構成要素が、外観上、隠される。これによって、入浴装置１の浴槽２を、一般家庭で用いられる浴槽の雰囲気に近づけることができる。
【００７０】
図５に示す入浴装置１ａは、図１ないし図３のそれとは異なって、着座部３のシート部３０に着座している入浴者の足を載せるための足載せ部６を備えている。足載せ部６の一端側は、下腿受け部３１の他端部に対して、連結ピン３１ｂによって回動可能に軸支されている。図５に示す入浴装置１ａは、足載せ部６以外は、図１ないし図３に示す入浴装置１と同様の構成を有する。足載せ部６は、下腿受け部３１から着脱可能になっている。
【００７１】
また、足載せ部６が下腿受け部３１に設けられると、足載せ部６によって、入浴者がシート部に着座し、足載せ部６に足を載せた状態で、着座部３が浴槽２内の下方に下降すると、その下降と共に、入浴者の足を足載せ部６によって自動的に入浴者の前方へ押しやることができる。
【００７２】
図６および図７を参照して、本発明の第一変形例に係る入浴装置１ｂを説明する。図６は、入浴装置１ｂの平面図であり、一部が切り欠かれて図示されている。また、載置部４０がスライドする際の説明に供する図である。図７は、シート部３０と載置部４０と、後述のスライドレール５１とを下面から見た斜視図である。
【００７３】
図６を参照して、浴槽２の長手方向の一端部２ａにおいて、浴槽２の短手方向に一対のスライドレール５０，５１が平行に対向配置されている。載置部４０は、スライドレール５０，５１上をスライド可能となっている。これによって、シート部３０は、載置部４０と共に、スライドレール５０，５１上をスライド移動することができる。着座部３の下腿受け部３１は、下腿受け回転軸４０ｃに回動可能に連結され、シート部３０とは分離されている。そのため下腿受け部３１は、スライドしない。
【００７４】
シート部３０および載置部４０には、対応する位置に共通のピン挿抜孔４７がある。これらピン挿抜孔４７に対して、載置部４０のスライド移動を阻止するためのスライドストッパピン５２が挿抜可能になっている。一方のスライドレール５１の外側面には、切り欠き５１ａが形成されている。スライドストッパピン５２は、この切り欠き５１ａに係入することができる。
【００７５】
スライドストッパピン５２がピン挿抜孔４７に挿入されると、その先端がスライドレール５１の切り欠き５１ａに係入する。この係入によって、載置部４０は、スライドレール５０，５１上をスライド不能となる。スライドストッパピン５２が、ピン挿抜孔４７から引き抜かれると、スライドストッパピン５２はスライドレール５１の切り欠き５１ａから抜け出される。これによって、載置部４０は、スライドレール５０，５１上をスライド可能となる。図６では、載置部４０がスライドした状態を示している。
【００７６】
スライドレール５１には、入浴者がシート部３０に着座しやすい位置まで載置部４０をスライドさせたときに、シート部３０をそのスライド位置で保持させる、スライドストッパピン５２が係入できる切り欠き５１ｂが設けられている。このスライド位置で、スライドストッパピン５２がピン挿抜孔４７に挿入されると、該スライドストッパピン５２の先端は、スライドレール５１の切欠き５１ｂに係入する。この係入によって、載置部４０は、それ以上スライドすることができず、入浴者は、そのスライド位置で、シート部３０に容易、且つ安全に着座することができる。
【００７７】
浴槽２は、その短手方向における他端側の上面２２に、長手方向に延びる第一手摺部７を備えている。第一手摺部７に、リモコン８が取り付けられている。リモコン８は、例えば、コンピュータ内蔵のジョイステック等の構成を有する。そのレバー操作によってアーム部駆動機構に対して、作動指令を有線または無線で送信し、移動機構４の動きを指示する。
【００７８】
アーム部駆動機構は、内蔵するコンピュータが前記作動指令を受信すると、アーム部駆動機構内のモータを駆動してアーム部４２を時計回り方向または反時計回り方向に回動や停止などの制御ができる。
【００７９】
入浴者は、例えば、浴槽２の短手方向一端側から浴槽２に入浴する際、スライドストッパピン５２を引き抜く。これにより、載置部４０は、スライドレール５０，５１上をスライド移動可能となる。図６に示すように、シート部３０がスライド移動する。図６では、矢印Ａの方向にスライド移動させた状態を示しており、スライドせず、浴槽中央にシート部３０がある状態を仮想線で示している。これにより、入浴者が、シート部３０を、載置部４０と共に、自身の方向である矢印Ａの方向にスライドさせることができる。
【００８０】
入浴者は、この位置で、第一手摺部７を掴んでシート部３０に座った後、浴槽２に入浴できる位置にまで、載置部４０を、スライド移動させる。その後、入浴者は、リモコン８を操作して、移動機構４を駆動することによって、載置部４０を浴槽２内へ下降させる。これによって、入浴者は、浴槽２に入浴することができる。この場合、スライドレール５０，５１も載置部４０と共に下降する。
【００８１】
以上の入浴装置１ｂによれば、入浴者は、シート部３０に座る際、載置部４０をスライドさせて、シート部３０を自身の方向へ近づけることができる。そのため、この入浴装置１ｂは、入浴者をシート部３０に座り易くすることができる。
【００８２】
また、シート部３０に座った入浴者は、第一手摺部７を掴んで引くことで、載置部４０を、スライドレール５０，５１上で、スライドさせることができる。そのため、入浴者は、浴槽２内を、浴槽２の一端側または他端側のいずれの方向へも移動し易い。
【００８３】
入浴者が浴槽２に入浴できる位置に載置部４０が移動すると、移動機構４によって、着座部３のシート部３０を載置部４０および前記両スライドレール５０，５１と共に浴槽２内に下降させて、入浴する。
【００８４】
図８ないし図１１を参照して、本発明の第二変形例に係る入浴装置１ｃを説明する。図８は、入浴装置１ｃの平面図、図９は、載置部４０のスライドと、シート部３０の回転との説明に供する図、図１０は、シート部３０が回転した状態を示す部分斜視図、図１１は、後述の回転ストッパピン５３の縦断面図である。
【００８５】
この入浴装置１ｃにおいて、浴槽２の長手方向の一端部２ａにおいて、浴槽２の短手方向に一対のスライドレール５０，５１が平行に対向配置されている。このスライドレール５０，５１上に、載置部４０は、浴槽２の短手方向に沿ってスライド可能となっている。着座部３の下腿受け部３１は、下腿受け回転軸４０ｃによって、移動機構である載置部４０に回動可能に連結されている。また、シート部３０は、載置部４０に対して、回転軸４９によって、回転可能に軸支されている。
【００８６】
シート部３０および載置部４０には、前記と同様に、スライドストッパピン５２のピン挿抜孔４７が設けられている。スライドレール５１には、前記したように、その側面に、スライドストッパピン５２が係入できる切り欠きが形成されている。スライドストッパピン５２は、ピン挿抜孔４７に挿入されているときは、上記第一変形例と同様に、スライドレール５１側面の切り欠きに係入している。この係入状態では、載置部４０はスライド不能にロックされている。
【００８７】
シート部３０には、別のピン挿抜孔４８から回転ストッパピン５３が挿抜可能になっている。回転ストッパピン５３がシート部３０のピン挿抜孔４８に挿入されていると、回転ストッパピン５３は、載置部４０側面の切り欠き穴４０ａ(図１１参照)に係入して、シート部３０は載置部４０に対して回転不能にロックされる。
【００８８】
シート部３０をスライドさせるときは、スライドストッパピン５２を引き抜く。これによって、レール５１側面の切り欠きからスライドストッパピン５２が離脱し、シート部３０は、載置部４０と共に、スライドレール５０，５１上を図中の矢印Ａヘスライド移動することが可能となる。
【００８９】
シート部３０が、図９の矢印Ａで示す方向にスライドされて所定位置まで移動してくると、回転ストッパピン５３をピン挿抜孔４８から引き抜く。これによって、回転ストッパピン５３は、載置部４０側面の切り欠き穴４０ａから抜け出されるので、シート部３０は、載置部４０に対して図９で示すように、回転軸４９を回転中心にして矢印方向Ｂに回転可能となる。
【００９０】
シート部３０は、浴槽２の短手方向における他端側に、一方向に長手に延びる凹部により形成された第二手摺部７ａを有し、この第二手摺部７ａの先端側のシート部３０上に、上記図６のリモコン８と同じ機能を有するリモコン８ａが装備されている。第二手摺部７ａは、シート部３０の両端側に設けてもよい。第二手摺部７ａは、入浴者が把持することができる。そのため、シート部３０が回転するとき、入浴者は、第二手摺部７ａを把持しておくことができるので、第二手摺部７ａによって、座位姿勢を安定させることができる。
【００９１】
以上から入浴者は、入浴する際、スライドストッパピン５２を引き抜く。これによって、シート部３０は、載置部４０と共に、スライドレール５０，５１上をスライド可能となるので、入浴者は、シート部３０を自身の方向(矢印Ａの方向)にスライド移動させる。
【００９２】
入浴者は、シート部３０のスライドにより、シート部３０がＡ方向図９の位置までスライドすると、回転ストッパピン５３を引き抜く。これによって、シート部３０は回転可能となるので、入浴者は、自身がシート部３０に載れる位置まで、シート部３０を矢印Ｂの方向に回転させる。そして、入浴者は自身がシート部３０に座ることができるように、シート部３０を回転させて、シート部３０に着座する。
【００９３】
その後、入浴者は、シート部３０を先程とは逆方向に回転させて、その後は、シート部３０を浴槽２に入浴できる位置までスライドさせる。こうして、入浴者が入浴できる位置までシート部３０がスライドされると、入浴者は、リモコン８ａをＯＮする。これによって、移動機構４が作動する結果、シート部３０は、載置部４０およびレール５０，５１と共に浴槽内に下降して、入浴者は、浴槽２内に入浴する。
【００９４】
このように、入浴装置１ｃによれば、入浴者がシート部３０に座る際は、シート部３０をスライド移動させ、かつ、回転させることで、シート部３０に容易に着座できる。
【００９５】
また、入浴者は、着座部３に座った状態で、シート部３０に設けられたリモコン８ａによって、移動機構４のアーム部４１，４２の動作を制御することができるので、より簡易に入浴することができる。
【００９６】
図１２を参照して、本発明の第三変形例に係る入浴装置１ｄを説明する。
【００９７】
この入浴装置１ｄにおいては、補助部材５５を備えている。補助部材５５は、シート部３０の一方のシート端部と浴槽２の短手方向一端側の縁部との間の隙間および、シート部３０の他方のシート端部と浴槽２の短手方向他端側の縁部との間の隙間上に配置されている。また、入浴者が、浴槽２に横付けされた搬送車の一例である車椅子５４からシート部３０上に移動する際に、着座部３と、前記横付けされた状態の車椅子５４との間に形成される隙間上に配置されている。これらの補助部材５５により、上記いずれの隙間も無くされる。
【００９８】
補助部材５５は、その一端側が、シート部３０のシート端部に回動可能に設けられ、その他端側が、浴槽２の縁部上面２２上にある。シート部３０が、浴槽２の縁部上面２２と対応する位置で待機しているときは、補助部材５５は、シート部３０と浴槽２の縁部上面２２との間を橋渡しするように配置される。補助部材５５は、その上面に入浴者が載っても、変形しない剛性を有している。
【００９９】
なお、補助部材５５は、入浴者が載っているシート部３０が浴槽２内に下降すると、その他端側が、浴槽２の内壁面に当接しつつ、一端側を中心にして上方へ回動させられる。また、シート部３０が浴槽２内を上昇していき、浴槽２の縁部上面２２と対応する位置まで戻されると、補助部材５５の他端側は、浴槽２の縁部上面２２上に載る。
【０１００】
以上の入浴装置１ｄによれば、入浴者が、車椅子５４から浴槽２に移動する際、また、浴槽２に入浴する際は、補助部材５５によって、上記隙間が無くされているので、入浴者は、隙間によって干渉されることなく、スムーズに、シート部３０へ着座することができる。
【０１０１】
なお、本発明は、上記実施形態に限られず、発明の趣旨を変更しない範囲で種々の変更が可能である。例えば、入浴装置１においても、浴槽２はその短手方向における他端側の上面２２に第一手摺部７を有してもよいし、着座部３は第二手摺部７ａおよびリモコン８ａを有してもよい。
【符号の説明】
【０１０２】
１，１ａないし１ｄ  入浴装置
２  浴槽
２０  凹部
２１  浴槽下面
２２  浴槽上面
３  着座部
３０  シート部
３１  下腿受け部
４  移動機構
４０  載置部
４０ｃ  下腿受け回転軸
４１  アーム部
４２  アーム部
７  第一手摺部
８  リモコン
７ａ  第二手摺部
８ａ  リモコン
４９  シート部軸支構造の上端部
５０，５１  スライドレール
５２  スライドストッパピン
５３  回転ストッパピン
５４  車椅子(搬送車)
５５  補助部材
【図１】
0006434303.tif 000002
【図２】
0006434303.tif 000003
【図３】
0006434303.tif 000004
【図４】
0006434303.tif 000005
【図５】
0006434303.tif 000006
【図６】
0006434303.tif 000007
【図７】
0006434303.tif 000008
【図８】
0006434303.tif 000009
【図９】
0006434303.tif 000010
【図１０】
0006434303.tif 000011
【図１１】
0006434303.tif 000012
【図１２】
0006434303.tif 000013